(57)【要約】【課題】鋸刃の下半部を安全カバーによって覆い、切断作業に際して安全カバーがソーカバー内に回動する携帯用丸鋸において、安全カバー内での切屑の詰まりを防止する。【解決手段】ハウジング１に固定した電動機により鋸刃３が回転駆動され、鋸刃３の上半部はハウジングに形成したソーカバー４によって覆われるとともに、鋸刃３の下半部を安全カバー６によって覆い、安全カバー６は切断作業に際してソーカバー４内に回動する携帯用丸鋸において、安全カバー６の外周面に切屑を通過させることができる大きさの貫通孔７を穿設する。【選択図】  図１
0003117796.tif 000002
【実用新案登録請求の範囲】
【請求項１】
ハウジングに固定した電動機により鋸刃が回転駆動され、鋸刃の上半部はハウジングに形成したソーカバーによって覆われるとともに鋸刃の下半部を安全カバーによって覆い、該安全カバーは切断作業に際してソーカバー内に回動する携帯用丸鋸において、安全カバーの外周面に切屑を通過させることができる大きさの貫通孔を穿設したことを特徴とする携帯用丸鋸。
【請求項２】
安全カバーに穿設する貫通孔は、鋸刃の外周に設けた切刃と対向する位置に配置するとともに、ソーカバー内の切屑を排出するための切屑排出口を備えたことを特徴とする請求項１記載の携帯用丸鋸。
【考案の詳細な説明】
【技術分野】
【０００１】
この考案は、ハウジングに固定した電動機により鋸刃が回転駆動され、鋸刃の上半部がハウジングに形成したソーカバーによって覆われるとともに、鋸刃の下半部を安全カバーによって覆い、切断作業に際して安全カバーがソーカバー内に回動する携帯用丸鋸に関する考案である。
【背景技術】
【０００２】
携帯用丸鋸には、実開平５―３５２０２号や実開平５―３５２０３号に開示されるように、ハウジングに固定した電動機により鋸刃が回転駆動され、鋸刃の上半部はハウジングに形成したソーカバーによって覆われるとともに、鋸刃の下半部を安全カバーによって覆い、携行時などに鋸刃の切刃が露出しないようにしたものが知られている。この、携帯用丸鋸の安全カバーは、切断作業の邪魔にならないように、切断に際してはソーカバー内に回動して、鋸刃の外周に形成した切刃が露出するように構成されている。
【考案の開示】
【考案が解決しようとする課題】
【０００３】
上記、従来の携帯用丸鋸における安全カバーは、鋸刃の外周縁部分を覆うことができるように、断面が略Ｕ字状に形成されている。そのため、鋸刃に付着した状態で侵入した切屑が、小さな空間である安全カバー内において詰まりを生じ、切断作業に支障を来たすことがあるという欠点があった。
【課題を解決するための手段】
【０００４】
上記、従来技術の欠点を解消するための、請求項１記載の考案は、ハウジング１に固定した電動機２により鋸刃３が回転駆動され、鋸刃３の上半部はハウジングに形成したソーカバー４によって覆われ、鋸刃３の下半部が安全カバー６によって覆われ、切断作業に際して安全カバー６がソーカバー４内に回動する携帯用丸鋸において、安全カバー６の外周面に切屑を通過させることができる大きさの貫通孔７を穿設する。
【０００５】
請求項２記載の考案は、安全カバー６に穿設する貫通孔７を、鋸刃３の外周に設けた切刃3aと対向する位置に配置するとともに、ソーカバー４内の切屑を排出するための切屑排出口８を備えることである。
【考案の効果】
【０００６】
請求項１記載の本考案携帯用丸鋸によれば、切断の作業時に、鋸刃３に付着する状態で安全カバー６内に侵入した切屑が、貫通孔７からソーカバー４内に排出され、安全カバー６内において切屑が詰まることがなくなる。すなわち、鋸刃３の回転によって安全カバー６内に侵入した切屑は、内貫通孔７からより大きく広い空間であるソーカバー４内に排出される。
【０００７】
請求項２記載の考案によれば、安全カバー６に穿設する貫通孔７を、鋸刃３の外周に設けた切刃3aと対向する位置に配置することによって、切屑が安全カバー６内からソーカバー４内に円滑に排出される。そして、ソーカバー４自体に切屑排出口８を備えることによって、切屑をソーカバー４内から機外に円滑に排出し、ソーカバー４内における切屑の詰まりを防止することができる。ソーカバー４内における切屑の詰まりを防止することは、安全カバー６からソーカバー４内への切屑の排出を円滑に行なわせることにもなる。
【考案を実施するための最良の形態】
【０００８】
以下、本考案に係る携帯用丸鋸の好ましい実施形態を添付の図面に基づいて説明する。
図１は、本考案に係る携帯用丸鋸の主要部のみの縦断面図、図２は携帯用丸鋸全体の正面図、図３は携帯用丸鋸全体の平面図である。
【０００９】
図示実施形態の携帯用丸鋸は、ハウジング１に固定した電動機２によって鋸刃３を回転駆動し、鋸刃３の切刃3aによって被切断物Ａを切断するものである。ハウジング１には、鋸刃３の上半部を覆うソーカバー４が形成されているとともに、ハンドル５が一体的に固定されている。
【００１０】
鋸刃３の外周部分の下半部は、安全カバー６によって覆われ、携行時などに切刃3a部分が、作業者の身体などに不用意に当たり、ケガをするといった事故を防止することができるようにしている。安全カバー６は、鋸刃３の回転軸と同軸上に軸支し、図２に矢印で示すように回動可能とし、常時、鋸刃３の下半部の外周縁を覆うことができるように、図２における左回動方向に付勢している。安全カバー６は、断面略Ｕ字状であるソーカバー４よりも小さな略Ｕ字状であって、鋸刃３の切刃部分、換言すれば円板状の鋸刃３の外周部分を覆い、上方に回動するときは、ソーカバー４の内部に入り込むようにしている。すなわち、安全カバー６はツマミ6aを持って、図２において二点鎖線で示すように回動させることができる。
【００１１】
安全カバー６の外周面には、図１及び図５から理解されるように、周方向の長孔として切屑を通過させることができる大きさの貫通孔７が穿設してある。安全カバー６に貫通孔７を設けることによって、切断の作業時に、鋸刃３に付着して安全カバー６内に入り込んだ切屑が、貫通孔７からソーカバー４内に排出される。すなわち、安全カバー６内での切屑の詰まり現象を回避することができる。勿論、切屑の一部は安全カバー６内に入り込まず、ソーカバー４の内面に沿って移動するものもある。
【００１２】
貫通孔７の具体的な形状は、切屑が排出され易いものであればどのような形状であってもよいが、図示実施形態においては、鋸刃３の外周に配置した切刃3aと対向する位置、すなわち、円板状の鋸刃３の外周縁と対向する位置、好ましくは正対する位置に、長孔として形成している。この構成とすることによって、安全カバー６内に侵入した切屑が、より円滑にソーカバー４内に排出される。
【００１３】
ハウジング１に形成したソーカバー４には、ソーカバー４内に侵入した切屑を排出するための切屑排出口８を設けている。この切屑排出口８は、鋸刃３の回転による切屑の流れ方向に配慮し、機外に排出され易いようにその位置及び方向や形状を形成しているが、切屑排出口７に集塵装置の吸引口を接続することによって、より効果的に切屑を集め、作業場における切屑の飛散を防止することができる。
【００１４】
ハウジング１には、ハンドル５が一体的に固定され、作業者はハンドル５を持って切断作業を行なうものである。そして、ハウジング１は平面的なベース９に装着されている。これにより、作業者はベース１を被切断物Ａに沿わせて丸鋸を移動させることができ、被切断物Ａを正確に切断することができる。平面的なベース９には、図５に示すように比較的大きな貫通孔10が穿設してあり、該貫通孔10から鋸刃３の下部が突出し、この突出部分で被切断物Ａを切断する。
【００１５】
次に、上記丸鋸による切断作業を説明する。最初に切断しようとする被切断物Ａの一端にベース９の一端を当接させ、切断しようとする方向に移動させる。丸鋸全体を移動させることによって、安全カバー６の一端が被切断物Ａの一端に衝突する。この状態でさらに丸鋸を移動させると、被切断物Ａ自体によって安全カバー６が押されて回動し、鋸刃３の切刃3aが露出し、図１に示すように被切断物Ａの切断を進めることができる。このとき、安全カバー６は、ソーカバー内に回動した状態であり、先に述べたように鋸刃３に付着して安全カバー内に侵入した切屑は、貫通孔７からソーカバー４内に、さらに切屑排出口８から機外に排出される。
【００１６】
鋸刃３による被切断物Ａの正確な切断は、切断しようとする方向に丸鋸を正確に移動させることによって実現することができる。丸鋸を被切断物Ａに対して正確な方向に移動させることができるように、ベース９にはガイド板11を設けている。図示例のガイド板は、鋸刃３と直交する方向に移動させて、任意所望位置において固定することを可能とし、図５に示すようにガイド板11と鋸刃３の間隔Ｗを調節することによって、被切断物ＡをＷの幅で正確に切断することができる。
【００１７】
切断しようとする被切断物Ａは、板厚や、板厚に対する切断方向など種種雑多である。したがって、あらゆる切断条件に対応することができるように、図示例の丸鋸では、ベース９に対するハウジング１の装着位置、姿勢を自由に調節することができるようにしている。例えば、ハウジング１はベース９に対して支点12を中心として回動させて固定することができるようにしている。これによって、ベース９から突出する鋸刃３の寸法を調節し、切断しようとする被切断物Ａの板厚の変化に対応できるようにしている。
【図面の簡単な説明】
【００１８】
【図１】図１は、本考案に係る携帯用丸鋸の主要部のみの縦断面図、
【図２】図２は、携帯用丸鋸全体の正面図、
【図３】図３は、携帯用丸鋸全体の平面図、
【図４】図４は、携帯用丸鋸全体の背面図、
【図５】図５は、携帯用丸鋸全体の底面図。
【符号の説明】
【００１９】
１…ハウジング、  ２…電動機、  ３…鋸刃、  3a…切刃、  ４…ソーカバー、  ５…ハンドル、  ６…安全カバー、  6a…ツマミ、  ７…貫通孔、  ８…切屑排出口、  ９…ベース、  10…貫通孔、  11…ガイド板、  12…支点、  Ａ…被切断物。
【図１】
0003117796.tif 000003
【図２】
0003117796.tif 000004
【図３】
0003117796.tif 000005
【図４】
0003117796.tif 000006
【図５】
0003117796.tif 000007